(57)【要約】【課題】水を掬い取ったり注いだりする過程においてその底部に置くための手が力を容易に与えることができる容器を提供しようとする。【解決手段】下から上へ窪んだ底部３を有する容器であって、前記底部３の外表面に第１の取っ手４が該外表面の最低点より出っ張らないように設けられていることを特徴とする容器。【選択図】      図４
0003106100.tif 000002
【実用新案登録請求の範囲】
【請求項１】
下から上へ窪んだ底部を有する容器であって、
前記底部の外表面に第１の取っ手が該外表面の最低点より出っ張らないように設けられていることを特徴とする容器。
【請求項２】
前記底部と上下対面している上開口を有し、該上開口の上方に、更に、該上開口に跨っていてそれをぶら下げるための第２の取っ手が設けられており、
該第２の取っ手は、カーブ状であって、前記上開口の上方に左右回動自在に設けられ、
かつ、それぞれ前記上開口の開口縁の一対の対称位置に枢支されている両端部と、手に握られる中間部とからなり、
また、該第２の取っ手が前記開口縁に横たわる時、前記両端部の近くが前記開口縁に凭れ、前記中間部が前記開口外へ所定隙間を開けるように出っ張ることを特徴とする請求項１に記載の容器。
【請求項３】
前記窪んだ底部の外表面は、平らな底面と該底面の周縁から下へ延出して該底面の周りを囲んだ周壁の内面とからなり、
前記第１の取っ手は、前記周壁の内面における一側から前記底面と手先を挿入される隙間を開けるように前記周壁の内面における他の一側の方へ所定距離延伸してなったシートであることを特徴とする請求項１または２に記載の容器。
【請求項４】
前記開口縁の、前記第２の取っ手の一対の枢支位置を結ぶ線の一側にあるほぼ中央部分を除くあらゆる縁部に沿ってフランジが張出しになっていることを特徴とする請求項２に記載の容器。
【請求項５】
前記窪んだ底部の外表面は、平らな底面と該底面の周縁から下へ延出して該底面の周りを囲んだ周壁の内面とからなり、
前記第１の取っ手は、前記周壁の内面における一側と前記底面との境界から、前記底面との隙間が徐々に大きくなるように前記周壁の内面における他の一側の方へ所定距離延伸してなったＵ字形縦断面のものであり、また、前記第１の取っ手と前記底面との間の隙間は手先を挿入されるように構成されていることを特徴とする請求項１または２に記載の容器。
【請求項６】
前記窪んだ底部の外表面は、平らな底面と該底面の周縁から下へ延出して該底面の周りを囲んだ周壁の内面とからなり、
前記第１の取っ手は、前記周壁の内面における一側の最低所から前記底面と平行するように前記周壁の内面における他の一側の方へ所定距離延伸してなったシートであり、また、前記シートと前記底面との間の隙間は手先を挿入されるように構成されていることを特徴とする請求項１または２に記載の容器。
【請求項７】
前記窪んだ底部の外表面は、平らな底面と該底面の周縁から下へ延出して該底面の周りを囲んだ周壁の内面とからなり、
前記第１の取っ手は、その両端部が前記底面と手先を挿入される隙間を開けるようにそれぞれ前記周壁の内面における一側の互いに対面できる２の箇所に固定され、かつその中間部の幅が前記両端部よりやや小である長尺状のシートであることを特徴とする請求項１または２に記載の容器。
【考案の詳細な説明】
【技術分野】
【０００１】
本考案は、容器に関し、特に水や砂を溜めたり運んだりするための容器に関する。
【背景技術】
【０００２】
従来の水などの液体や砂を溜めたり運んだりする容器１は、図１に示すように、その上端側１１が開口し、下端側１２が下から上へ窪んだ底部１３を有しており、また、前記上端側１１と前記下端側１２との間にある胴体１４が上から下へと少々縮んでテーパ状になっている。
【０００３】
そして、前記窪んだ底部１３の外表面は、平らな底面１３１と該底面１３１の周縁から下へ延出して該底面１３１の周りを囲んだ周壁１３２の内面とからなっている。前記開口縁には、フランジ１１１が張出しになっている。また、前記開口１１の上方には、カーブ状の取っ手１５が前記開口１１に跨って左右回動自在に設けられている。該取っ手１５は、それぞれ前記フランジ１１１のほぼ対称する２の位置に形成した２のラグ１１２，１１２に枢支されている両端部１５１，１５１と、手に握られる中間部１５２とからなっている。また、前記取っ手１５が図１のように前記開口縁にあるフランジ１１１に横たわる時、前記中間部１５２が前記フランジ１１１上に凭れる。
【０００４】
上記容器１により水や砂を掬い取ったり、該容器１内に溜めた水や砂を他の容器に注ぐ時、図２に示すように、一方の手１６１で前記取っ手１５の中間部１５２や前記開口縁を握って他方の手１６２で前記周壁１３２を持ち上げることにより作業をすることができる。
【考案の開示】
【考案が解決しようとする課題】
【０００５】
しかしながら、このような容器１はその底部１３に指の前段でしか引っ掛けられない小さな周壁１３２が形成されているため、図２に示すように、水を掬い取ったり注いだりする過程において前記他方の手１６２が指先のみにより力を与えるので、不便である。
【０００６】
そして、前記取っ手１５が図１のように前記開口縁にあるフランジ１１１に横たわる時、前記中間部１５２が前記フランジ１１１上に凭れるので、前記容器１をぶら下げろうとする場合、手先を前記取っ手１５の前記中間部１５２と前記フランジ１１１との間に挿入しなければならないので、傷付く恐れがある上、かなり不便である。
【０００７】
また、前記容器１の前記開口縁には前記フランジ１１１が張出しになっているので、床面に溜まった水を掬い取るさいに、不便である。
【０００８】
したがって、上記に鑑みて、本考案の第１の目的は、水を掬い取ったり注いだりする過程においてその底部に置くための手が力を容易に与えることができる容器を提供しようとすることにある。
【０００９】
第２の目的は、その取っ手が開口縁に横たわる時、容易に取り上げることができる容器を提供しようとすることにある。
【００１０】
第３の目的は、床面に溜まった水を容易に掬い取ることができる容器を提供しようとすることにある。
【課題を解決するための手段】
【００１１】
前記目的を達成するために、考案者は、下から上へ窪んだ底部を有する容器であって、前記底部の外表面に第１の取っ手が該外表面の最低点より出っ張らないように設けられていることを特徴とする容器を提供する。
【００１２】
この構成による容器は、その底部の外表面に第１の取っ手が設けられているので、水を掬い取ったり注いだりする過程においてその底部に置くための手が前記第１の取っ手を握って力を容易に与えることができる。
【００１３】
ここで、前記容器とは、バケツ、手桶、水桶などの、容器の開口の上方に取っ手を有しまたは有していないものをいう。
【００１４】
そして、前記容器は、前記底部と上下対面している上開口を有し、該上開口の上方に、更に、該上開口に跨っていてそれをぶら下げるための第２の取っ手が設けられており、該第２の取っ手は、カーブ状であって、前記上開口の上方に左右回動自在に設けられ、かつ、それぞれ前記上開口の開口縁の一対の対称位置に枢支されている両端部と、手に握られる中間部とからなり、また、該第２の取っ手が前記開口縁に横たわる時、前記両端部の近くが前記開口縁に凭れ、前記中間部が前記開口外へ所定隙間を開けるように出っ張ることが好ましい。
【００１５】
それにより、前記開口の上方にある第２の取っ手が開口縁に横たわる時、前記中間部が前記開口外へ所定隙間を開けるように出っ張るので、前記容器をぶら下げろうとする場合、手先を前記所定隙間内に挿入して前記第２の取っ手を容易に取り上げることができる
そして、前記容器は、前記開口縁の、前記第２の取っ手の一対の枢支位置を結ぶ線の一側にあるほぼ中央部分を除くあらゆる縁部に沿ってフランジが張出しになっていることが好ましい。
【００１６】
それにより、前記容器が前記第２の取っ手を介してぶらさげられる時、該第２の取っ手の一側の開口縁の一部にフランジが張出しになっていないので、その一部により床面に溜まった水を容易に掬い取ることができる。
【考案の効果】
【００１７】
本考案の容器は、上記のように、いろいろな利点を有する。
【考案を実施するための最良の形態】
【００１８】
以下、本考案の容器の好ましい実施形態を詳しく説明する。なお、以下の説明においては、そのサイズに拘わらず、略同一の機能及び構成を有する構成要素については、同一符号を付し、重複説明は必要な場合にのみ行う。
【００１９】
図３は本考案の容器の第１の実施形態を示す斜視図であり、図４は前記第１の実施形態の容器を逆さまに置いた場合の斜視図である。
【００２０】
図３及び図４に示すように、この第１の実施形態の容器２は、下から上へ窪んだ底部３を有するものであって、前記底部３の外表面に第１の取っ手４が該外表面の最低点より出っ張らないように設けられている。
【００２１】
もっと詳しく説明すると、前記容器２は、前記底部３と上下対面している略円形の上開口５を有し、前記上開口５と前記底部３との間にある胴体６が上から下へと少々縮んでテーパ状になっている。
【００２２】
そして、該上開口５の上方には、更に、該上開口５に跨っていて前記容器２をぶら下げるための第２の取っ手７が設けられている。該第２の取っ手７は、カーブ状であって、前記上開口５の上方に左右回動自在に設けられている。
【００２３】
もっと詳細に説明すると、前記上開口５の開口縁には、フランジ５１が張出しになっている。前記フランジ５１のほぼ対称し、且つそれらを結ぶ線５３が両側のバランスを取ることができる２の位置には、それぞれラグ５２，５２が形成してある。また、前記第２の取っ手７は、それぞれ前記２のラグ５２，５２に枢支されている両端部７１，７１と、手に握られる中間部７２とからなっている。該第２の取っ手７が図３のように前記開口縁に横たわる時、前記両端部７１，７１の近くが前記開口縁にあるフランジ５１に凭れ、前記中間部７２が前記開口外へ所定隙間７３を開けるように出っ張る。
【００２４】
そして、前記窪んだ底部３の外表面は、平らな底面３１と該底面３１の周縁から下へ延出して該底面３１の周りを囲んだ周壁３２の内面とからなっている。前記第１の取っ手４は、本実施形態において図４に示すように、前記周壁３２の内面における一側３２１から前記底面３１と手先を挿入される隙間４１を開けるように前記周壁３２の内面における他の一側の方へ所定距離延伸してなった半月形のシートである。
【００２５】
上記容器２により水や砂を掬い取ったり、該容器２内に溜めた水や砂を他の容器に注ぐ時、図５に示すように、一方の手８１で前記第２の取っ手７の中間部７２を握って他方の手８２で手先を前記隙間４１に挿入するように前記第１の取っ手４を握ることにより作業をすることができる。
【００２６】
そうすると、水を掬い取ったり注いだりする過程において両手８１，８２がそれぞれ前記第２の取っ手７及び前記第１の取っ手４を握ることができるので、容易に力を使って作業することができる。
【００２７】
そして、前記開口５の上方にある第２の取っ手７が開口縁に横たわる時、前記中間部７２が図３に示すように前記開口外へ所定隙間７３を開けるように出っ張るので、図３の状態下で前記容器２をぶら下げろうとする場合、手先を前記所定隙間７３内に挿入して前記第２の取っ手７を容易に取り上げることができる。
【００２８】
図６は、本考案の容器の第２の実施形態を示す斜視図である。本実施形態の前記第１の実施形態と異なる点は、前記フランジ５１にある。本実施形態において前記フランジ５１は、前記開口縁の、前記第２の取っ手７の一対の枢支位置を結ぶ線５３の一側にあるほぼ中央部分５４を除くあらゆる縁部に沿って張出しになっている。すなわち、前記第２の取っ手７の一側の開口縁の一部（前記中央部分５４）には前記フランジ５１が張出しになっていない。
【００２９】
それにより、前記容器２が前記第２の取っ手７を介してぶらさげられる時、前記一部（前記中央部分５４）により床面に溜まった水を容易に掬い取ることができる。
【００３０】
図７は、本考案の容器の第３の実施形態を示す斜視図である。本実施形態の前記第１の実施形態と異なる点は、前記第１の取っ手４にある。本実施形態において前記第１の取っ手４は、前記周壁３２の内面における一側３２１と前記底面３１との境界から、前記底面３１と隙間が徐々に大きくするように前記周壁３２の内面における他の一側の方へ所定距離延伸してなったＵ字形縦断面のものであり、また、前記第１の取っ手４と前記底面３１との間の隙間４１は手先を挿入されるように構成されている。
【００３１】
図８は、本考案の容器の第４の実施形態を示す斜視図である。本実施形態の前記第１の実施形態と異なる点は、前記第１の取っ手４にある。本実施形態において前記第１の取っ手４は、前記周壁３２の内面における一側３２１の最低所から前記底面３１と平行するように前記周壁３２の内面における他の一側の方へ所定距離延伸してなった半月形のシートであり、また、前記シートと前記底面３１との間の隙間４１は手先を挿入されるように構成されている。
【００３２】
図９は、本考案の容器の第５の実施形態を示す斜視図である。本実施形態の前記第１の実施形態と異なる点は、前記第１の取っ手４にある。本実施形態において前記第１の取っ手４は、その両端部４２，４３が前記底面３１と手先を挿入される隙間４１を開けるようにそれぞれ前記周壁３２の内面における一側３２１の互いに対面できる２の箇所に固定され、かつその中間部４４の幅が前記両端部４２，４３よりやや小である長尺状のシートである。
【００３３】
以上に説明した実施の形態は、あくまでも本考案の技術的内容を明らかにする意図のものにおいてなされたものであり、本考案はそうした具体例に限定して狭義に解釈されるものではなく、本考案の精神とクレームに述べられた範囲で、いろいろと変更して実施できるものである。
【産業上の利用可能性】
【００３４】
本考案の容器は、水を掬い取ったり注いだりする過程において力を容易に与えることができる上、取っ手が開口縁に横たわる時、傷付けずに容易に取り上げることができる。
【図面の簡単な説明】
【００３５】
【図１】従来の容器を示す斜視図。
【図２】前記従来の容器により水や砂を掬い取ったり注いだりする時の動作を説明する図。
【図３】本考案の容器の第１の実施形態を示す斜視図。
【図４】前記第１の実施形態の容器を逆さまに置いた場合の斜視図。
【図５】前記第１の実施形態の容器により水や砂を掬い取ったり注いだりする時の動作を説明する図。
【図６】本考案の容器の第２の実施形態を示す斜視図。
【図７】本考案の容器の第３の実施形態を示す斜視図。
【図８】本考案の容器の第４の実施形態を示す斜視図。
【図９】本考案の容器の第５の実施形態を示す斜視図。
【符号の説明】
【００３６】
２…容器、３…底部、３１…底面、３２…周壁、３２１…一側、４…第１の取っ手、４１…隙間、４２，４３…両端部、４４…中間部、５…上開口、５１…フランジ、５２…ラグ、５３…仮想線、５４…一部、６…胴体、７…第２の取っ手、７１，７１…両端部、７２…中間部、７３…隙間、８１，８２…両手。
【図１】
0003106100.tif 000003
【図２】
0003106100.tif 000004
【図３】
0003106100.tif 000005
【図４】
0003106100.tif 000006
【図５】
0003106100.tif 000007
【図６】
0003106100.tif 000008
【図７】
0003106100.tif 000009
【図８】
0003106100.tif 000010
【図９】
0003106100.tif 000011